(57)【要約】      （修正有）【課題】脱水時に遠心力により衣類から排出される水を円滑に洗濯兼脱水槽外へ排水し、脱水終了後の衣類が洗濯兼脱水槽の壁面から剥がれやすく、衣類に残る水分量を減らすことができ、すすぎ性能及び脱水性能の向上、乾燥時間の短縮化及び省エネ化を図る。【解決手段】本体１内に支持した外槽２と、外槽内に回転可能に設けられた選択権脱水槽４と、洗濯兼脱水槽４の周壁部４ａに外方へ突出した略円形の凹部５を設け、前記凹部５の底部に孔３を設けたものである。【選択図】図１
2007054351.tif 000002
【特許請求の範囲】
【請求項１】
本体と、前記本体内に支持した外槽と、前記外槽内に回転可能に設けられ、周壁部に多数の孔を有した洗濯兼脱水槽と、前記洗濯兼脱水槽を駆動する駆動手段とを備え、前記洗濯兼脱水槽は、周壁部に外方へ突出した略円形の凹部を設け、前記凹部の底部に前記孔を設けた洗濯機。
【請求項２】
凹部は、断面形状をすり鉢状に形成した請求項１記載の洗濯機。
【請求項３】
凹部は、断面形状を球面状に形成した請求項１記載の洗濯機。
【請求項４】
凹部は、傾斜面の深さ方向に溝を形成した請求項１〜３のいずれか１項に記載の洗濯機。
【請求項５】
凹部は、洗濯兼脱水槽の周壁部の直径を、周壁部から孔までの深さの２〜６倍に設定した項１〜４のいずれか１項に記載の洗濯機。
【請求項６】
凹部は、洗濯兼脱水槽の周壁部に千鳥状に配設した項１〜５のいずれか１項に記載の洗濯機。
【請求項７】
洗濯兼脱水槽は、凹部外の周壁部に孔を設けた請求項１〜６のいずれか１項に記載の洗濯機。
【請求項８】
洗濯兼脱水槽は、周壁部に凹部間をつなぐ溝を設けた請求項１〜７のいずれか１項に記載の洗濯機。
【請求項９】
洗濯兼脱水槽は、凹部間の周壁部に前記凹部と反対側へ突出する突部を設けた請求項１〜８のいずれか１項に記載の洗濯機。
【請求項１０】
洗濯兼脱水槽は、回転軸を水平方向または開口部側が前上がりに高くなるように傾斜させた洗濯兼脱水槽により構成した請求項１〜９のいずれか１項に記載の洗濯機。
【請求項１１】
凹部は、洗濯兼脱水槽の開口部側を浅く、底部側を深く形成した請求項１０記載の洗濯機。
【発明の詳細な説明】
【技術分野】
【０００１】
本発明は、洗濯から脱水又は乾燥までを行う洗濯機に関するものである。
【背景技術】
【０００２】
従来、この種の洗濯機は水平方向に設定した回転軸で回転可能に設けられた衣類を収納する洗濯兼脱水槽で洗濯するドラム式洗濯機がある（例えば、特許文献１参照）。この公報に記載されたドラム式洗濯機は、図１５、図１６に示すように、本体５０内に回転自在に制御される洗濯兼脱水槽５１がその回転軸方向が水平方向になるようにして外槽５２内に配置されている。そして外槽５２には洗濯兼脱水槽５１を回転させる駆動手段５３が設けられている。この駆動手段５３によって洗濯兼脱水槽５１を回転させることにより、洗濯兼脱水槽５１内に収容された洗濯物を洗濯、脱水を行うようになっている。
【０００３】
洗濯兼脱水槽５１の周壁には、脱水性能を向上するために洗濯兼脱水槽５１の奥行き方向に全体に中心部に向かって突出させた凸部５４と、この凸部５４間の谷部５５に孔５６を設けている。
【０００４】
脱水工程では遠心力により衣類に含まれる水を分離しているが、凸部５４を設けているので、遠心力の壁面方向への分力を発生させることができ、この分力により周壁の谷部５５に設けた孔５６から洗濯兼脱水槽５１外へ水を排出している。また、乾燥まで行う洗濯機は、脱水後に洗濯兼脱水槽５１に遠心力により張り付いた衣類を引き剥がし、衣類を攪拌しながら洗濯兼脱水槽５１に温風を供給することにより衣類を乾燥している。
【特許文献１】特開昭５６−８０９５号公報
【発明の開示】
【発明が解決しようとする課題】
【０００５】
しかしながら、従来の構成では、谷部５５の面積が大きいため、そこへ衣類が入り込み、谷部５５に設けた孔５６を塞ぎ水が円滑に洗濯兼脱水槽５１外へ排水されにくいという課題があった。このため、すすぎ工程では脱水後の衣類に残る水分量が多いとすすぎが不十分だったり、十分なすすぎを行うために水量が多くなったりする課題があった。また、乾燥を行う場合は、脱水後に衣類に含まれる水分量が多いため時間がかかり、また消費電力量も多くなる。さらに、谷部５５へ衣類が入り込むことにより、脱水終了後に衣類が壁面から剥がれにくいという課題もあった。そのため、乾燥を行う場合は、衣類を引き剥がすのに時間がかかり、乾燥効率が悪くなるという課題も発生した。
【０００６】
本発明は、前記従来の課題を解決するもので、脱水時に遠心力により衣類から排出される水を円滑に洗濯兼脱水槽外へ排水し、また脱水終了後の衣類が洗濯兼脱水槽の壁面から剥がれやすくすることを目的とする。
【課題を解決するための手段】
【０００７】
前記従来の課題を解決するために、洗濯兼脱水槽の周壁部に外方へ突出した略円形の凹部を設け、前記凹部の底部に孔を設けたものである。
【０００８】
これによって、脱水工程では洗濯兼脱水槽を高速で回転して遠心力により衣類から水分を搾り出す際、孔が凹部の底部にあり、孔に向かって分力が発生するうえ、洗濯兼脱水槽の孔近傍では衣類と槽の間に隙間があるので、水が洗濯兼脱水槽外へ円滑に流れやすくなる。従って、脱水終了後の衣類に含まれる水分量を減らすことができ、すすぎ工程では、同じ水量で衣類をすすぐ場合は、よくすすぐことができる。また、最後の脱水後では、天日干しした場合は早く乾燥し、そそのまま洗濯兼脱水槽内で乾燥を行う場合は、衣類に含まれる水分量が少ないうえに、洗濯兼脱水槽から衣類が剥がれやすいので、乾燥工程の早い段階から衣類に満遍なく温風を当てることができるので、乾燥時間が短く、その分消費電力量も少なく省エネ化を図ることができる。
【発明の効果】
【０００９】
本発明の洗濯機は、脱水終了後の衣類に含まれる水分量が少なく脱水効率を高めることができるとともに、洗濯兼脱水槽の壁面から衣類が剥がれやすくすることができる。
【発明を実施するための最良の形態】
【００１０】
第１の発明は、本体と、前記本体内に支持した外槽と、前記外槽内に回転可能に設けられ、周壁部に多数の孔を有した洗濯兼脱水槽と、前記洗濯兼脱水槽を駆動する駆動手段とを備え、前記洗濯兼脱水槽は、周壁部に外方へ突出した略円形の凹部を設け、前記凹部の底部に前記孔を設けたことにより、脱水時に遠心力により衣類から分離された水が円滑に洗濯兼脱水槽外へ排出されるので、衣類に残る水分量を減らすことができ、また、衣類が凹部に入り込みにくいので洗濯兼脱水槽の壁面から剥がれやすくなり、すすぎ性能及び脱水性能の向上、乾燥時間の短縮化及び省エネ化を図ることができる。
【００１１】
第２の発明は、凹部の断面形状をすり鉢状に形成したことにより、脱水時に遠心力により衣類から分離された水が円滑に洗濯兼脱水槽外へ排出されるので、衣類に残る水分量を減らすことができ、また衣類が凹部に入り込みにくいので洗濯兼脱水槽の壁面から剥がれやすいので、すすぎ性能及び脱水性能の向上、乾燥時間の短縮化及び省エネ化を図ることができる。
【００１２】
第３の発明は、凹部の断面形状を球面状に形成したことにより、脱水時に遠心力により衣類から分離された水が円滑に洗濯兼脱水槽外へ排出されるので、衣類に残る水分量を減らすことができ、また衣類が凹部に入り込みにくいので洗濯兼脱水槽の壁面から剥がれやすいので、すすぎ性能及び脱水性能の向上、乾燥時間の短縮化及び省エネ化を図ることができる。
【００１３】
第４の発明は、凹部の傾斜面に深さ方向に溝を形成したことにより、脱水時に遠心力により衣類から分離された水が溝部に沿って円滑に洗濯兼脱水槽外へ排出されるので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１４】
第５の発明は、洗濯兼脱水槽の周壁部の凹部の直径を、周壁部から孔までの深さの２〜６倍に設定したことにより、衣類が凹部へ一層入り込みにくくなり、凹部の底部の孔を塞ぐことがなく、脱水時に遠心力により衣類から分離された水が円滑に洗濯兼脱水槽外へ排出されるので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１５】
第６の発明は、凹部を洗濯兼脱水槽の周壁部に千鳥状に配設したことにより、凹部を多数設けることができ、脱水時に遠心力により衣類から分離された水をより円滑に洗濯兼脱水槽外へ排出するので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１６】
第７の発明は、洗濯兼脱水槽の凹部外の周壁部に孔を設けたことにより、より多くの水を円滑に洗濯兼脱水槽外へ排出するので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１７】
第８の発明は、洗濯兼脱水槽の周壁部に凹部間をつなぐ溝を設けたことにより、凹部間に脱水時に遠心力により衣類から分離された水が凹部間の溝に沿って孔部に導かれ、円滑に洗濯兼脱水槽外へ排出するので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１８】
第９の発明は、洗濯兼脱水槽の凹部間の周壁部に凹部と反対側へ突出する突部を設けたことにより、脱水時に遠心力により衣類から分離された水が周壁部に凹部と反対側へ突出する突部により遠心力の分力が孔部方向へ働き、水が孔部より円滑に洗濯兼脱水槽外へ排出するので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００１９】
第１０の発明は、洗濯兼脱水槽は、回転軸を水平方向または開口部側が前上がりに高くなるように傾斜させた洗濯兼脱水槽により、脱水時に遠心力により衣類から分離された水が円滑に洗濯兼脱水槽外へ排出するので、衣類に残る水分量を減らすことができ、また衣類の洗濯兼脱水槽の壁面から衣類が剥がれやすいので、すすぎ性能及び脱水性能の向上、乾燥時間の短縮化及び省エネ化を図ることができる。
【００２０】
第１１の発明は、凹部を洗濯兼脱水槽の開口部側を浅く、底部側を深く形成したことにより、脱水時に遠心力により衣類から分離された水が円滑に洗濯兼脱水槽外へ排出するので、衣類に残る水分量が減り、また衣類の洗濯兼脱水槽の壁面から衣類が剥がれやすいので、すすぎ性能の向上、乾燥時間の短縮化及び省エネ化を図ることができるうえに、外槽と洗濯兼脱水槽と擦れを防止し、信頼性が高く、コンパクトな洗濯機を提供できる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態におけるドラム式洗濯機の要部断面図である。本体１内に図示しないサスペンション構造により外槽２が支持され、この外槽２内には、周壁部に多数の孔３を有した洗濯兼脱水槽４が、回転自在に配置されている。洗濯兼脱水槽４の周壁部に外方へ突出した略円形の凹部５を設けており、その凹部５の底部に孔３を設けている。
【００２３】
外槽２の底背面に洗濯兼脱水槽４を駆動する駆動手段であるモータ６を設け、モータ６のロータ６ａは回転軸７に固着され、回転軸７は軸受け８により回転自在に軸支され、洗濯兼脱水槽４を回転駆動するもので正逆回転させるようになっている。そして、この正逆回転時に洗濯兼洗濯槽４内の周壁に設けた撹拌バッフル９により、衣類１０を効率的に持ち上げて攪拌している。
【００２４】
洗濯兼脱水槽４の投入口１１側には、流体バランサー１２を設け、洗濯兼脱水槽４の回転時に衣類１０の偏りを修正して振動を少なくするものである。本体１の前面には衣類１０を出し入れする略円形状の投入口１１と、これを開閉する扉１２が設けられている。投入口１１と対向する外槽２の開口部はパッキン１３によって本体１と気密を確保して連結されている。
【００２５】
図２は、乾燥機能を有するドラム式洗濯機の要部断面図である。乾燥用空気を洗濯兼脱水槽４に供給する送風手段１４を本体１の略上部に設け、加熱手段１５を送風手段１４の下流側に設けている。送風手段１４、加熱手段１５は循環ダクト１６内に設けている。循環ダクト１６の下流側は、外槽２の底部側に設けられた供給口１７と連通し、上流側は、外槽２の周壁に設けられた排気口１８と連通している。外槽２の側周面に除湿ダクト１９と循環ダクト１６とが一体に形成されている。
【００２６】
循環ダクト１６内に設けられた送風手段１４を回転駆動すると、外槽２内の空気が排気口１８から除湿ダクト１９内に排出されるので、洗濯兼脱水槽４内の湿気を含む空気は周面に多数形成された孔３から外槽４内に出て除湿ダクト１９に排出される。除湿ダクト１９内には、注水弁（図示せず）を開くことにより注水ノズル２１から注水され、空気は水により冷却され、空気中に含まれた水蒸気が凝結することにより除湿される。空気を冷却した水及び凝結によって生じた水は、外槽２内を流下して排水口２２から外部に排出される。
【００２７】
送風手段１４から送風されてきた除湿した空気は、循環ダクト１６内の加熱手段１５により加熱されることにより、所定温度の温風になって供給口１７から外槽２内に送風される。洗濯兼脱水槽４の底面には、円周上に複数の開口部を形成した通気口２０が設けられており、供給口１７から外槽２内に送風された温風は通気口２０から洗濯兼脱水槽４内に送給される。洗濯兼脱水槽４の底面側から送風された温風は衣類に触れ、その湿気を奪うので衣類の乾燥が促進され、湿気を含んだ空気は再び排気口１８から除湿ダクト１９内に排気される。
【００２８】
洗濯兼脱水槽４から排出される乾燥空気は、排気口１８、循環ダクト１６、除湿ダクト１９、送風手段１４、加熱手段１５、供給口１７、通気口２０、洗濯兼脱水槽４を循環する構成になっている。以上の乾燥用空気の流れを図２の矢印で示している。この除湿及び加熱を伴う空気循環が繰り返されることにより衣類の乾燥がなされる。
【００２９】
循環ダクト１６を流れる乾燥用空気を効果的に洗濯兼脱水槽４に導入させるため、洗濯兼脱水槽４の底部壁面の外方と外槽２の内方とで非接触のシール部を構成している。非接触シール部は、通気口２０を内包し洗濯兼脱水槽４の回転軸７を囲むように設けている。また、外槽２の壁面から内方に向けて突出した複数個の略円形凸状リブ２３と、洗濯兼脱水槽４の底部壁面の外方に突出した複数個の略円形凸状リブ２４との組合せでシール部を構成している。なお、前記略円形凸状リブ２３と２４は谷部と山部が非接触で嵌まり込むように構成している。
【００３０】
以上のように構成されたドラム式洗濯機について、以下にその動作、作用を説明する。まず、洗い工程では、洗濯兼脱水槽４に衣類１０と洗剤、及び洗濯水を供給して駆動手段６を運転し、洗濯兼脱水槽４を正逆運転して洗濯を所定時間実施する。洗濯兼脱水槽４を回転すると、衣類１０は洗濯兼脱水槽４の回転により発生する遠心力と撹拌バッフル９の作用により上方に持ち上げられ、ほぼ洗濯兼脱水槽４の上方に達すると衣類１０の重量で洗濯兼脱水槽４の底面側に向けて落下し、洗濯兼脱水槽４内でたたき洗いが効果的に行われ、衣類１０全体に作用するため、洗浄ムラの少ない洗浄が実現できる。
【００３１】
次にすすぎ工程を行う。すすぎ工程は、洗濯兼脱水槽４を高速で回転させる脱水工程を行ったあと、新たに水を洗濯兼脱水槽４内に供給して行う。すすぎ前の脱水工程は衣類１０に含まれる洗剤液を衣類１０から遠心力により搾り出すようにして行う。衣類１０から分離された水は洗濯兼脱水槽４の孔３から排出され、外槽２内を通って、排水口２２より本体１外へ排水される。そして、新たに水を洗濯兼脱水槽４内へ供給し、駆動手段６を運転し洗濯兼脱水槽４を正逆運転して、衣類１０を攪拌しながら衣類１０に残った洗剤成分を薄めることで行っている。
【００３２】
このとき、洗濯兼脱水槽４の周壁部に外方へ突出した略円形の凹部５を設け、凹部５の底部に孔３を設けているので、洗濯兼脱水槽４を高速回転しているとき、孔３に向かって遠心力の分力が発生するうえ、凹部５周辺で衣類１０が支えられ、孔３を塞ぐことがなく、孔３近傍では衣類１０と洗濯兼脱水槽４の間に隙間があるので、水が洗濯兼脱水槽４外へ円滑に流れやすくなる。そのため、脱水終了後の衣類に含まれる洗剤成分を含む水分量を減らすことができる。そして、衣類１０に残った洗剤成分を含む水分量が少ないので、同じ給水量の場合は、洗剤分が薄められ、よくすすぎが行われることになる。また、同じ希釈度まですすぐ場合には、新たな水の量が少なくてすみ、節水することができる。
【００３３】
次に最終脱水工程を行う。すすぎ前の脱水工程と動作・作用は同じであり、洗濯兼脱水槽４の周壁部に外方へ突出した略円形の凹部５を設け、凹部５の底部に孔３を設けているので、脱水終了後の衣類に含まれる水分量を減らすことができる。洗濯コースの一連の流れはここまでで、このあと天日干しをした場合は、衣類に残っている水分量が少ないので、早く乾くことになる。
【００３４】
次に、乾燥工程を実行した場合について説明する。本体１上部に設けた送風手段１４から送風されてきた空気は、循環ダクト１６内の加熱手段１５により加熱されることにより所定温度の温風になって供給口１７から外槽２内に送風される。洗濯兼脱水槽４の底面には、円周上に複数の開口部を形成した通気口２０が設けられており、供給口１７から外槽２内に送風された温風は通気口２０から洗濯兼脱水槽４内に送給される。駆動手段６により洗濯兼脱水槽４を正逆回転することにより衣類１０が攪拌さている。
【００３５】
洗濯兼脱水槽４の底面側から送風された温風は、攪拌されている衣類１０触れ、その湿気を奪うので衣類１０の乾燥が促進され、湿気を含んだ空気は排気口１８から除湿ダクト１９内に排気される。除湿ダクト１９内には、注水弁（図示せず）を開くことにより注水ノズル２１から注水され、空気は水により冷却され、空気中に含まれた水蒸気が凝結することにより除湿される。空気を冷却した水及び凝結によって生じた水は、外槽２内を流下して排水口２２から外部に排出される。冷却された空気は再び、送風手段１４により送風され加熱手段１５により加熱される外槽２内に送風される。この除湿及び加熱を伴う空気循環が繰り返されることにより衣類１０の乾燥がなされる。
【００３６】
このときに、乾燥開始時の衣類１０に含まれる水分量が少なければ、乾燥時間は短く、したがって消費電力量も少なく乾燥できる。また、脱水終了直後は、衣類１０が洗濯兼脱水槽４の壁面に張り付いた状態になっている。この張り付いた状態から衣類１０が壁面から引き剥がされ効率よく攪拌されながら、温風を当てることで、より乾燥時間は短くなる。洗濯兼脱水槽４の壁面の凹部５では、凹部５周辺で衣類１０が支えられ、衣類１０と壁面との間に隙間が発生し、衣類１０が剥がれやすい状態になっているので、乾燥工程開始時の早い段階から衣類１０を効率よく攪拌することができ、乾燥時間を短くすることができる。
【００３７】
以上のように、本実施の形態においては、洗濯兼脱水槽４の周壁部に外方へ突出した略円形の凹部５を設け、凹部５の底部に孔３を設けたことにより、脱水時に遠心力により衣類から排出される水を円滑に洗濯兼脱水槽４外へ排水し、また、脱水終了後の衣類１０が洗濯兼脱水槽４の壁面から引き剥がれやすくなり、すすぎ性能及び脱水性能の向上、乾燥時間の短縮化、省エネ化を図ることができる。
【００３８】
なお、本実施形態の構成において、洗濯兼脱水槽４の回転軸が略垂直な縦型の洗濯機についても、同等の効果が得られる。また、図３に示すように凹部５は、壁面から孔３に向かって断面形状をすり鉢状５ａに形成したり、図４に示すように凹部５の断面形状を球面状５ｂに形成しても同等の作用があり、すすぎ性能及び脱水性能の向上、乾燥時間の短縮化、省エネ化を図ることができる。
【００３９】
さらに、図５は凹部５に傾斜面の深さ方向に溝２５を形成した構成を示しており、図６は図５中のＡ−Ａ断面を示している。図５及び図６に示すように、凹部５に壁面から孔３に向かって傾斜面の深さ方向に溝２５を形成したことで、この溝２５に沿って衣類６から分離された水が洗濯兼脱水槽４外へ円滑に流れやすくなり、すすぎ性能及び脱水性能の向上、乾燥時間の短縮化、省エネ化を図ることができる。
【００４０】
また、図７に示すように、凹部５は、凹部５の洗濯兼脱水槽４の周壁部４ａの直径Ｌを、周壁部４ａから孔３までの深さｈの２〜６倍に設定することで、脱水工程での凹部５への衣類１０の食い込みを抑えることができる。深さが浅いと、少しの衣類１０が入り込んで孔３を塞いでしまう。また、凹部５の面積が広いと、衣類１０が凹部５へ入り込みやすく孔３を塞いでしますが、２〜６倍に設定することで衣類１０が若干入り込んでも、孔３を塞ぐことがなく、脱水性能の向上、乾燥時間の短縮化、省エネ化を図ることができる。
【００４１】
また、図８に洗濯兼脱水槽４の壁面の拡大部分図を示す。図８に示すように、凹部５を洗濯兼脱水槽４の周壁部４ａに千鳥状に配設することで、多くの凹部５及び孔３を設けることができ、さらに脱水性能を向上させることができ、乾燥時間の短縮化、省エネ化を図ることができる。
【００４２】
さらに、図９に示すように、洗濯兼脱水槽４の凹部５外の周壁部４ａに孔３ａを設けたもので、脱水時に凹部５外の周壁部に衣類１０から分離された水がきた場合でも、円滑に洗濯兼脱水槽４外へ排出されるので、脱水性能を向上させることができ、乾燥時間の短縮化、省エネ化を図ることができる。
【００４３】
また、図１０に示すように、洗濯兼脱水槽４の周壁部４ａに凹部５間をつなぐ溝２６を設けたもので、脱水時に凹部５外の周壁部に衣類１０から分離された水がきた場合でも、溝２６に沿って水が流れるので円滑に洗濯兼脱水槽４外へ排出でき、脱水性能を向上させることができ、乾燥時間の短縮化、省エネ化を図ることができる。
【００４４】
また、図１１に洗濯兼脱水槽４の凹部５間の周壁部４ａに凹部５と反対側へ突出する突部２７を形成したときの、洗濯兼脱水槽４の周壁部４ａの部分拡大図を示し、図１２に図１１の断面Ｂ−Ｂを示す。図１１、１２に示すように、洗濯兼脱水槽４の、凹部５間の周壁部４ａに凹部５と反対側へ突出する突部２７を設けることで、脱水時に凹部５外の周壁部に衣類１０から分離された水がきた場合でも、突部２７により遠心力の分力が孔３方向へ発生し、分離された水を円滑に洗濯兼脱水槽４外へ排出できるので、脱水性能を向上させることができ、乾燥時間の短縮化、省エネ化を図ることができる。
【００４５】
（実施の形態２）
図１３は本発明の第２の実施の形態におけるドラム式洗濯乾燥機の斜視図を示すものであり、第１の実施の形態と同一構成要件は同一の符号を付して詳細の説明は省略する。洗濯兼脱水槽４は、回転軸を開口部側が前上がりに高くなるように傾斜させた洗濯兼脱水槽４により構成したものである。
【００４６】
以上のように構成されたドラム式洗濯乾燥機について、その動作、作用は第１の実施の形態と同一であるが、特にドラム式の洗濯機については、脱水終了後、通常洗濯兼脱水槽４を短時間に正逆回転させることにより衣類６を壁面から引き剥がしており、凹部５を設けることにより、衣類６と洗濯兼脱水槽４の壁面に隙間を作ることができ、衣類が剥がれやすくなる。このため、乾燥工程の早い段階から、衣類６を効率良く攪拌しながら、温風を衣類６に満遍なく当てることができ、乾燥時間の短縮化、省エネ化を図ることができる。
【００４７】
また、図１４に示すように、洗濯兼脱水槽４に設けた凹部５は、底部側の凹部５ｄの深さを深く形成し、開口部１１側の凹部５ｃの深さを底部側より浅く形成している。回転軸７は洗濯兼脱水槽４の底部側で軸受け８と軸支しているので、洗濯兼脱水槽４の触れ回りは底部側が小さく、開口部側が大きくなる。このため外槽２と洗濯兼脱水槽４の隙間は、開口部側を大きくする必要があるが、凹部５の深さは、開口部側を底部側より浅く形成していることにより、同一の隙間で成形することができ、外槽２を開口部側の径を大きくしなくても、外槽２と洗濯兼脱水槽４と擦れを防止し、信頼性が高く、コンパクトなドラム式洗濯乾燥機を実現できる。
【産業上の利用可能性】
【００４８】
以上のように、本発明にかかる洗濯機は、脱水時に遠心力により衣類から排出される水を円滑に洗濯兼脱水槽外へ排水し、また、脱水終了後の衣類が洗濯兼脱水槽の壁面から引き剥がれやすくなるので、衣類の脱水および乾燥に等に有用である。
【図面の簡単な説明】
【００４９】
【図１】本発明の実施の形態１におけるドラム式洗濯機の要部断面図
【図２】同乾燥機能を有するドラム式洗濯機の要部断面図
【図３】同ドラム式洗濯機の凹部の断面図
【図４】同ドラム式洗濯機の凹部の他の例の断面図
【図５】同ドラム式洗濯機の凹部の他の例の平面図
【図６】同ドラム式洗濯機の図５のＡ−Ａ断面図
【図７】同ドラム式洗濯機の凹部の他の例の断面図
【図８】同ドラム式洗濯機の洗濯兼脱水槽の周壁部の平面図
【図９】同ドラム式洗濯機の洗濯兼脱水槽の周壁部の他の例の平面図
【図１０】同ドラム式洗濯機の洗濯兼脱水槽の周壁部の他の例の平面図
【図１１】同ドラム式洗濯機の洗濯兼脱水槽の周壁部の他の例の平面図
【図１２】同ドラム式洗濯機の図１１のＢ−Ｂ断面図
【図１３】本発明の実施の形態２におけるドラム式洗濯機の外観を示す斜視図
【図１４】同ドラム式洗濯機の要部断面図
【図１５】従来のドラム式洗濯機の要部断面図
【図１６】同ドラム式洗濯機の要部断面図
【符号の説明】
【００５０】
１  本体
２  外槽
３  孔
４  洗濯兼脱水槽
４ａ  周壁部
５  凹部
６  駆動手段
【図１】
2007054351.tif 000003
【図２】
2007054351.tif 000004
【図３】
2007054351.tif 000005
【図４】
2007054351.tif 000006
【図５】
2007054351.tif 000007
【図６】
2007054351.tif 000008
【図７】
2007054351.tif 000009
【図８】
2007054351.tif 000010
【図９】
2007054351.tif 000011
【図１０】
2007054351.tif 000012
【図１１】
2007054351.tif 000013
【図１２】
2007054351.tif 000014
【図１３】
2007054351.tif 000015
【図１４】
2007054351.tif 000016
【図１５】
2007054351.tif 000017
【図１６】
2007054351.tif 000018